(57)【要約】【課題】背もたれを倒したときに、頭部の位置が大きく後方に移動しないような椅子を、簡単な構成で部品点数がなるべく少なくなるようにする。【解決手段】人が座る部位である座部３２と、座部３２を前後方向にスライド自在に保持し、床面１０に対して固定される基部３１と、座部３２に対して回動可能となるように、座部３２に対してヒンジ部５５を介して取り付けられ、且つ基部３１に対して座部３２とともに前後方向に移動可能となるように、基部３１の両側面に設けられたガイドピン５１を移動可能となるように嵌入しているガイド溝５２が両側面に形成された背もたれ４８と、座部３２の前端部に第２ヒンジ部５８を介して、回動可能に取り付けられた足載せ６０と、一端部が足載せ６０に第３ヒンジ部６８を介して回動可能に取り付けられ、他端部が背もたれの下端部に第４ヒンジ部６６を介して回動可能に取り付けられ、足載せ６０と背もたれ４８とを連結する連結棒６５とを具備する。【選択図】図４
2014161399.tif 000002
【特許請求の範囲】
【請求項１】
人が座る部位である座部と、
座部を前後方向にスライド自在に保持し、床面に対して固定される基部と、
座部に対して回動可能となるように、座部に対してヒンジ部を介して取り付けられ、且つ基部に対して座部とともに前後方向に移動可能となるように、基部の両側面に設けられたガイドピンを移動可能となるように嵌入しているガイド溝が両側面に形成された背もたれと、
座部の前端部に第２ヒンジ部を介して、回動可能に取り付けられた足載せと、
一端部が足載せに第３ヒンジ部を介して回動可能に取り付けられ、他端部が背もたれの下端部に第４ヒンジ部を介して回動可能に取り付けられ、足載せと背もたれとを連結する連結棒と、を具備することを特徴とする椅子。
【請求項２】
各前記ガイド溝は、
後方側に向けて凸となる曲線状に形成されていることを特徴とする請求項１記載の椅子。
【請求項３】
前記ヒンジ部は、
座部の両側面の後端部寄りの位置から座面よりも上方に突出した突出片と、背もたれの下端部寄りの前方側の位置との間で回動可能に設けられていることを特徴とする請求項１又は請求項２記載の椅子。
【発明の詳細な説明】
【技術分野】
【０００１】
本発明は、背もたれを倒すことができる椅子に関する。
【背景技術】
【０００２】
様々な分野で背もたれが倒れる椅子が存在している。
例えば、美容室などでは、顧客が座った椅子の後方に洗面台が配置されている。椅子の背もたれを倒して顧客の頭を洗面台に位置させた後に、顧客の頭をシャンプーで洗浄する。
ところで、洗面台の位置を、背もたれを倒した際に顧客の頭がちょうど一致するように設定すると、椅子と洗面台の距離が近すぎてしまい、洗浄以外のときに理容師・美容師が顧客と洗面台との間に立って顧客を施術することができないといった問題があった。
【０００３】
そこで、特許文献１に示す椅子は、洗面台と椅子との間隔を保って美容師が施術可能なスペースを確保した場合に、背もたれを倒す動作と座部が後方に移動する動作を同時に行って、顧客の頭を洗面台に近づけるように構成している。
【０００４】
また、航空機用の椅子として特許文献２に示すものがある。
この椅子は、背もたれを倒したときに、座部と足載せを前方に移動させ、背もたれ、座部、足載せを実質的に水平面となるように構成している。
【先行技術文献】
【特許文献】
【０００５】
【特許文献１】特開２０１１−２４００７６号公報
【特許文献２】特開２００１−８７０７４号公報
【発明の概要】
【発明が解決しようとする課題】
【０００６】
なお、眼科においては、患者が座る椅子の背もれを倒し、医師は上向きになった患者の頭の後ろに回り込んで診察や治療を行う。このとき、椅子と椅子後方の壁面との間隔が狭いと、背もたれを倒した際に医師が入り込むスペースがなくなってしまう。
通常の椅子を用いた場合、背もたれを倒すと患者の頭部は、背もたれを倒す前よりも後方に位置するようになるため、椅子と椅子後方の壁面との間のスペースを予め多くするように椅子を設置することが必要である。
しかしながら、診察室の間取り等の問題から、椅子と壁面との間のスペースを狭くとらざるを得ないケースもあるので、椅子の背もたれを倒したとき、患者の頭部が椅子後方の壁面に近づきすぎないようにできる椅子が望まれている。
【０００７】
上述した特許文献１の椅子は、背もたれを倒すことで頭部を後方に移動させる構成であるため、眼科で要望されている動作とは逆の動作になってしまう。
また、特許文献２の椅子は、背もたれを倒すと座部や足載せが前方へ移動し、頭部の位置も後方にずれないので、動作としては眼科で要望されている動作を実行できる構成である。
しかし、特許文献２の椅子では床への取付構造が複雑であり、またフルフラットになる構成なので、部品点数が多いという課題がある。
【０００８】
そこで本発明は上記課題を解決すべくなされ、その目的とするところは、背もたれを倒したときに、頭部の位置が大きく後方に移動しないような椅子を、簡単な構成で部品点数がなるべく少なくなる構造で提供することにある。
【課題を解決するための手段】
【０００９】
本発明にかかる椅子によれば、人が座る部位である座部と、座部を前後方向にスライド自在に保持し、床面に対して固定される基部と、座部に対して回動可能となるように、座部に対してヒンジ部を介して取り付けられ、且つ基部に対して座部とともに前後方向に移動可能となるように、基部の両側面に設けられたガイドピンを移動可能となるように嵌入しているガイド溝が両側面に形成された背もたれと、座部の前端部に第２ヒンジ部を介して、回動可能に取り付けられた足載せと、一端部が足載せに第３ヒンジ部を介して回動可能に取り付けられ、他端部が背もたれの下端部に第４ヒンジ部を介して回動可能に取り付けられ、足載せと背もたれとを連結する連結棒と、を具備することを特徴としている。
この構成による作用は次の通りである。座部を前方に移動させると、背もたれはヒンジ部を軸線として後方に回動する。背もたれは、基部のガイドピンが挿入されたガイド部に沿って倒れていくので、座部の前方への移動とともに、背もたれ自身も前方に移動していく。また、連結棒も前方に移動するので、足載せを第２ヒンジ部を中心に回動させることで足載せの下端部が上昇する。このようにして、座部を前方に移動させると、背もたれと座部と足載せとが前方に移動するので、背もたれを倒したときに頭部の位置が大きく後方に移動しないようにすることができる。
【００１０】
また、各前記ガイド溝は、後方側に向けて凸となる曲線状に形成されていることを特徴としてもよい。
この構成によれば、背もたれが倒れる速度をガイド溝が直線の場合と比較して遅くすることができる。具体的には、ガイド溝が背もたれの上下方向にそって直線状であると、背もたれの倒れる速度が、徐々に早くなってしまい、椅子に座っている人が不快になる恐れがある。しかし、後方側に凸となる曲線状のガイド溝の場合、常に一定速度で倒れるので座っている人を不快にさせずに倒すことができる。
【００１１】
また、前記ヒンジ部は、座部の両側面の後端部寄りの位置から座面よりも上方に突出した突出片と、背もたれの下端部寄りの前方側の位置との間で回動可能に設けられていることを特徴としてもよい。
この構成によれば、背もたれを倒したとき、背もたれと座部との間隔を開けないようにすることができる。
【発明の効果】
【００１２】
本発明によれば、背もたれを倒したときに、頭部の位置が大きく後方に移動しないような椅子を、簡単な構成で部品点数を減らして実現できる。
【図面の簡単な説明】
【００１３】
【図１】本発明にかかる椅子の全体構成を示す斜視図である。
【図２】図１に示した椅子から一部構成を省略したところを示す斜視図である。
【図３】図２に示した椅子から座板を省略したところを示す斜視図である。
【図４】椅子の組み立て分解図である。
【図５】背もたれが起きている状態を示す側面図である。
【図６】背もたれが寝た状態を示す側面図である。
【発明を実施するための形態】
【００１４】
本実施形態にかかる椅子について図面に基づいて説明する。
図１は、椅子の構成を示す斜視図であって、骨組部分のみを表示し、背もたれのクッション部分と、座部のクッション部分は省略している。また、座部は透明として座部の下方がわかるように、透明な部材で表示している。
図２は、座部を不透明とし、また脚部１２を省略している。
図３は、図２から座部を外したところを示している。図４は組み立て分解図である。
【００１５】
図１に示すように、本実施形態の椅子３０は、床面１０に対して脚部１２によって固定されている。脚部１２は、基部３１の下面に固定されている。基部３１は、人が座る座部３２を前後方向にスライド自在に保持している。
【００１６】
座部３２は、ほぼ平面状の座板３４と、座板３４の左右両端部近傍の下面において下方に向けて突出する側板３６ａ，３６ｂとを有している。
両側板３６ａ，３６ｂのそれぞれの内側には、基部３１との間で前後方向にスライド可能となるような構成が設けられている。具体的には、基部３１の左右両側面にはガイドローラ３８が、各側面において複数個設けられており、両側板３６ａ，３６ｂのそれぞれの内側には、ガイドローラ３８を挟み込んで転動させることができるローラガイド４０ａ，４０ｂが設けられている。このため、座部３２は、ガイドローラ３８によりガイドされて基部３１に対して前後方向にスライドすることができる。
【００１７】
なお、本実施形態では、座部３２は前方側が後方側よりも上方に位置するように傾斜して設けられている。そして、座部３２の前方への移動も前方側の方が上方に位置するように設けられている。
すなわち、図４に示すように、基部３１の左右両側面のガイドローラ３８はそれぞれ２つずつ設けられており、２つのガイドローラのうち前方に位置するガイドローラが後方に位置するガイドローラよりも上方に位置している。すなわち、２つのガイドローラ３８を挟み込んだ各ローラガイド４０ａ，４０ｂは前方が上方する方向に傾斜している。
また、ローラガイド４０ａ，４０ｂを取り付けている両側板３６ａ，３６ｂ及び座板３４も２つのガイドローラ３８の傾斜角度に合わせて前方側が上方に位置するように傾斜して設けられている。
【００１８】
また、座部３２と基部３１との間には、座部３２を前後方向に移動させるための直動装置４２が設けられている。直動装置４２は、例えばリニアアクチュエータなどを採用することができる。
リニアアクチュエータ４２は、軸線が前後方向に沿って延びるガイド部４３と、ガイド部４３に沿って移動可能な可動部４５と、可動部４５をガイド部４３に沿って移動させる制御部４６を備えている。
【００１９】
制御部４６はステッピングモータの回転運動を直線運動に変換して可動部４５を駆動することができる。
可動部４５は、座部３２の下面に固定され、ガイド部４３と制御部４６は基部３１に固定されている。このため、制御部４６の制御によって、可動部４５がガイド部４３に沿って移動することにより、座部３２は基部３１に対して自動的に移動可能となる。
【００２０】
なお、直動装置としては、リニアアクチュエータに限られるものではなく、油圧シリンダー等を採用してもよい。
【００２１】
また、背もたれ４８は、背板（図示せず）と、背板の左右両側を支える背柱５０ａ，５０ｂを備えている。本明細書中では背もたれ４８の背板は省略して図示している。背柱５０ａ，５０ｂは、それぞれ前後方向から見ると幅薄の板状の部材である。
背柱５０ａ，５０ｂには、基部３１のガイドローラ５１を移動可能となるように嵌入しているガイド溝５２が形成されている。
両ガイドローラ５１は、基部３１の両側面の後端部の上方側において、回転軸が左右方向に向き、外側に向けて配置されている。
【００２２】
背柱５０ａ，５０ｂの各ガイド溝５２は、それぞれの上端部と下端部が、背柱５０ａ，５０ｂの前方側に位置し、中間部分が背柱５０ａ，５０ｂの後方側に位置するように曲線で形成されている。言い換えると、各ガイド溝５２は、後方側に向けて凸となる曲線状に形成されている。
各ガイド溝５２をこのような曲線状に形成することにより、背もたれ４８が倒れる速度をガイド溝が直線の場合と比較して遅くすることができる。
すなわち、背もたれ４８の倒れ始めと、倒れ終わりの時には、ガイド溝５２が背柱５０ａ，５０ｂの長手方向ではなく幅方向への移動量が大きくなるため、常に一定速度で倒れるので座っている人を不快にさせずに倒すことができる。
【００２３】
また、各背柱５０ａ，５０ｂは、座部３２に対してヒンジ部５５を介して連結されている。
ヒンジ部５５は、座部３２の側板３６ａ，３６ｂに設けられている。座部３２の各側板３６ａ，３６ｂの後方側には、上方に突出した突出片５６が形成されており、背柱５０ａ，５０ｂの下端部より上方側には前方に突出した突出片５７が形成されている。
この座部３２の側板３６ａ，３６ｂの突出片５６と、背柱５０ａ，５０ｂの突出片５７とがヒンジ部５５によって連結される。
【００２４】
このように、背もたれ４８と座部３２とを連結するヒンジ部５５を、背もたれ４８の下端部と座部の後端部ではなく、少なくとも背もたれ４８の下端部よりも上方位置でヒンジ部５５を設けて背もたれ４８と座部３２とを回動させるようにしたので、背もたれ４８を倒して座部が前方に移動した際に、座部の後端部と背もたれ４８の下端部との間隔が空いてしまうことを防止することができる。
【００２５】
次に、座部３２の前方側の構成について説明する。
座部３２の前方側には、座部３２の前端部と第２ヒンジ部５８を介して座部３２に対して回動可能に取り付けられた足載せ６０が設けられている。
足載せ６０は、座っている状態の人のふくらはぎ部分に位置するレッグレスト６２と、座っている状態の人の足を載せるフットレスト６４とを有している。
レッグレスト６２とフットレスト６４は、第４ヒンジ部６６によって回動可能に取り付けられている。具体的には、レッグレスト６２の下端部とフットレスト６４とは互いに回動可能となるように第４ヒンジ部６６によって取り付けられている。
【００２６】
足載せ６０のレッグレスト６２は、背もたれ４８が起立している状態のときは、座っている人のふくらはぎの背面側に位置しているが特に人体を支持することもない。背もたれ４８が寝た状態で座部３２が前方に移動したとき、レッグレスト６２は座部３２とともに水平となるように回動して人のふくらはぎ下面に当接し下肢を支える。
なお、本実施形態におけるレッグレスト６２は、左右両側の側板と、両側板を連結する２枚の連結板とから構成されているが、特にこのような構成に限定するものではない。
【００２７】
足載せ６０のフットレスト６４は、背もたれ４８が起立している状態のときは、座っている人の足裏に当接して下肢を支え、背もたれ４８が寝た状態で座部３２が前方に移動したとき、座部３２とともに、ほぼ水平となるように回動して人のかかとに当接して下肢を支える。
【００２８】
また、足載せ６０は、背もたれ４８と連動する構成となっている。
すなわち、足載せ６０は、各背柱５０ａ，５０ｂの下端部との間で架け渡された連結棒６５によって連結されており、背もたれ４８の傾斜動に伴って足載せ６０も第２ヒンジ部５８を中心に回動して傾斜動する。
【００２９】
連結棒６５の後端部は、各背柱５０ａ、５０ｂの下端部に第３ヒンジ部６６によって回動可能に取り付けられている。
また、連結棒６５の前端部は、足載せ６０のレッグレスト６２の上下方向の中途部付近で第３ヒンジ部６８によって回動可能に取り付けられている。
【００３０】
次に、図５及び図６に基づいて本実施形態の椅子の動作について説明する。
図５の状態は、椅子３０の通常の状態であって、椅子に座っている人の上半身は起きている。
この状態から、上記の直動装置４２を駆動させて座部３２を前方へ移動させる。すると、ヒンジ部５５を介して座部３２と接続されている背もたれ４８が、座部３２とともに前方へ移動する。背もたれ４８が前方へ移動するとき、背もたれ４８は、ヒンジ部５５を中心にして鉛直面内で回動する。そして、背もたれ４８の背柱５０ａ，５０ｂに形成されているガイド溝５２内で、基部３１に設けられているガイドローラ５１が転動する。このようにして、背もたれ４８は、ガイド溝５２に沿って基部３１に対して水平となる方向に回動する。
【００３１】
せもたれが水平方向に傾いていくと、背もたれ４８の背柱５０ａ，５０ｂの下端部に取り付けられている連結棒６５が前方に移動し、連結棒６５によって足載せ６０が前方に押される。足載せ６０が連結棒６５によって前方へ押されると、レッグレスト６２が第２ヒンジ部５８を中心にして鉛直面内で前方に向けて回動する。
また、レッグレスト６２の下端部に取り付けられているフットレスト６４は、レッグレスト６２が起立しているときに水平面よりも先端部が下方に傾かないようほぼ水平に位置するように規制され、レッグレスト６２が水平に近づいたときにもほぼ水平に位置するように規制されている。
【００３２】
図６は、背もたれ４８が倒れた状態を示している。
このとき、背もたれ４８、座部３２、レッグレスト６２、フットレスト６４はそれぞれほぼ水平に近くなり、フルフラット状態に近い状態となっている。
このときの背もたれ４８の上端部と、基部３１のガイドローラ５１との距離はＬ２であり、図５の背もたれ４８が起きている状態のときのガイドローラ５１との距離Ｌ１よりも短い距離となっている。すなわち、本発明の椅子では、背もたれ４８が倒れつつ座部の前方への移動とともに前方へ移動するので、背もたれ４８を倒した際に椅子に座った人の頭部を後方に移動させないようにすることができる。本実施形態では、座部と背もたれの前方への移動によって、背もたれが起立しているときよりも人の頭部が前方に移動できる（Ｌ１＞Ｌ２）。
【００３３】
なお、本実施形態では、直動装置を使って座部を前方に移動させる例について説明した。しかしながら、座部を前方に移動させるために何らかの駆動手段を設けることは必須ではなく、手動で座部を移動させるようにしてもよい。
【符号の説明】
【００３４】
１０   床面
１２   脚部
３０   椅子
３１   基部
３２   座部
３４   座板
３６ａ，３６ｂ   側板
３８   ガイドローラ
４０ａ，４０ｂ   ローラガイド
４２   直動装置
４３   ガイド部
４５   可動部
４６   制御部
４８   背もたれ
５０ａ，５０ｂ   背柱
５１   ガイドローラ
５２   ガイド溝
５５   ヒンジ部
５６，５７   突出片
５８   第２ヒンジ部
６０   足載せ
６２   レッグレスト
６４   フットレスト
６５   連結棒
６６   第４ヒンジ部
６８   第３ヒンジ部
【図２】
2014161399.tif 000003
【図３】
2014161399.tif 000004
【図４】
2014161399.tif 000005
【図５】
2014161399.tif 000006
【図６】
2014161399.tif 000007
【図１】
2014161399.tif 000008